(57)【要約】【課題】鉛直方向にコンパクトに積み重ねることができ多段化に適した植物栽培装置を提供すること。【解決手段】本発明の植物栽培装置は、栽培する植物を搬送する第一の搬送手段と、第一の搬送手段の上方に第一の搬送手段の上流側から下流側に向かうにつれて第一の搬送手段と漸次的に離れるように一つの傾斜面内に配置される第一の照明手段を有する第一のコンベアユニットと、第一の搬送手段とは逆方向に植物を搬送し第一の照明手段が配置される傾斜面と平行に設置される第二の搬送手段と、第二の搬送手段の上方に第二の搬送手段の上流側から下流側に向かうにつれて漸次的に離れるように一つの平面内に配置される第二の照明手段とを有し、第一のコンベアユニットの上に積み重ねられた第二のコンベアユニットを備えている。【選択図】図１
2015012826.tif 000002
【特許請求の範囲】
【請求項１】
栽培する植物を搬送する第一の搬送手段と、前記第一の搬送手段の上方に前記第一の搬送手段の上流側から下流側に向かうにつれて前記第一の搬送手段と漸次的に離れるように一つの傾斜面内に配置される第一の照明手段を有する第一のコンベアユニットと、
前記第一の搬送手段とは逆方向に前記植物を搬送し前記第一の照明手段が配置される傾斜面と平行に設置される第二の搬送手段と、前記第二の搬送手段の上方に前記第二の搬送手段の上流側から下流側に向かうにつれて漸次的に離れるように一つの平面内に配置される第二の照明手段とを有し、前記第一のコンベアユニットの上に積み重ねられた第二のコンベアユニットとを備えた植物栽培装置。
【請求項２】
前記第二の照明手段が水平面内に配置されることを特徴とする請求項１に記載の植物栽培装置。
【請求項３】
前記第一の搬送手段及び前記第二の搬送手段は、それぞれが搬送速度の異なる直列に配置された複数のベルト式装置からなり、下流側の前記ベルト式装置ほど搬送速度が速くなることを特徴とする、請求項１または２に記載の植物栽培装置。
【請求項４】
前記第一の搬送手段及び前記第二の搬送手段は、レールと、前記レール上をスライドする複数のパレットを有し、前記複数のパレットは下流側ほど幅が大きくなることを特徴とする、請求項１または２に記載の植物栽培装置。
【請求項５】
前記パレットは、前記栽培する植物を培地と共に保持する栽培用ポットを取り付けられる嵌合穴を有することを特徴とする、請求項４に記載の植物栽培装置。
【請求項６】
請求項１ないし請求項５のいずれか一項に記載の植物栽培装置の前記第二の搬送手段に前記栽培する植物を置くのに用いる栽培用ポットであって、
前記第二の搬送手段に当接する面が前記第二の搬送手段の傾斜角度と等しい角度だけ傾斜しており、前記第二の搬送手段の上に置いたときに上面が水平となることを特徴とする栽培用ポット。
【発明の詳細な説明】
【背景技術】
【０００１】
人工的な照明光と水耕液を用いて植物を栽培するための植物栽培装置が用いられている。図１０に、従来の植物栽培装置の一例を示す。植物栽培装置１００は、栽培する植物１０５を矢印で示したように左から右へ移動させるベルトコンベア等の搬送手段１０３と、搬送手段１０３の上方に設置されLEDなどの照明灯１０２を多数備えた天井板１０１の組を複数積み重ねて構成される。天井板１０１と搬送手段１０３は、底部だけを図示したフレーム１０４によって支持されている。このような構成とした場合、符号１０６で示したように育成の初期段階の植物１０５と照明灯１０２との間に無駄な空間が生じ、装置の大型化を招いていた。また、この部分では、照明灯１０２と植物１０５との間の距離が大きくなるため植物１０５が必要な光合成を行うのに十分な光を照射するためには、照明灯１０２の照度を上げる必要があった。
【０００２】
特許文献１では植物が根を下ろすことができる複数のパレット群が移動可能で、天井板と植物との間隔が成育の初期においては小さくなるように傾斜して構成されていることを特徴とする植物栽培装置が開示されている。またパレット群の移動方向が交互に逆方向になるように複数の成育室を重ねた構成が開示されている。
【０００３】
特許文献２では照明器具がコンベアの上流側から下流側に向かって順次コンベアより離れるように配置されている植物の栽培装置が開示されている。
【先行技術文献】
【特許文献】
【０００４】
【特許文献１】特開昭６２−５５０２８
【特許文献２】特開２００１−９５３８３
【発明の概要】
【発明が解決しようとする課題】
【０００５】
特許文献１の構成では水耕液槽の液深が成育初期の場所においては浅く、成育終期の場所にあっては深くなっているように構成されている。しかし植物の種類にもよるが、根は必ずしも下方に成育させなければならないわけではなく、また所定の深さ以上には成育しないものも多い。そのような種類の植物を栽培するに当たっては特許文献１の構成は鉛直方向の空間や、水耕液の量に無駄が生じることになる。また、特許文献２の構成では、すべてのベルトコンベアを水平に設置しているので、照明器具と天井との間に無駄なスペースが生じている。
【０００６】
そこで、本発明は鉛直方向にコンパクトに積み重ねることができ、多段化に適した植物栽培装置を提供することをその目的とする。
【課題を解決するための手段】
【０００７】
本発明の植物栽培装置は、栽培する植物を搬送する第一の搬送手段と、第一の搬送手段の上方に第一の搬送手段の上流側から下流側に向かうにつれて第一の搬送手段と漸次的に離れるように一つの傾斜面内に配置される第一の照明手段を有する第一のコンベアユニットと、
第一の搬送手段とは逆方向に植物を搬送し第一の照明手段が配置される傾斜面と平行に設置される第二の搬送手段と、第二の搬送手段の上方に第二の搬送手段の上流側から下流側に向かうにつれて漸次的に離れるように一つの平面内に配置される第二の照明手段とを有し、第一のコンベアユニットの上に積み重ねられた第二のコンベアユニットとを備えたことを特徴とする。
【発明の効果】
【０００８】
本発明の植物栽培装置では、第一の照明手段が傾斜面内に配置され、第二の搬送手段もこの傾斜面と平行に傾斜して配置され、第一の搬送手段と第一の照明手段との距離および第二の搬送手段と第二の照明手段との距離は上流側から下流側に向かうにつれて漸次的に離れるようになっている。そのため、従来の植物栽培装置よりもコンパクトに鉛直方向に積み重ねることができる。また、栽培初期段階の植物でも照明手段との距離が小さくなるので栽培初期段階の植物の成長が促進される。
【図面の簡単な説明】
【０００９】
【図１】植物栽培装置の概略図である。
【図２】（ａ）はポットの平面図、（ｂ）はポットの側面図、（ｃ）はポットの断面図、（ｄ）はポットの使用状態を示す図、（ｅ）は傾斜ポットの側面図、である。
【図３】傾斜ポットを使用した場合の植物栽培装置の概略図である。
【図４】ベルトコンベアを用いた搬送手段の側面図である。
【図５】ベルトコンベアを用いた搬送手段の平面図である。
【図６】（ａ）は突起付きポットの平面図、（ｂ）は突起付きポットの側面図、（ｃ）は突起付き傾斜ポットの断面図、（ｄ）は突起付きポットの使用状態を示す図、（ｅ）は突起付き傾斜ポットの側面図、である。
【図７】（ａ）、（ｂ）はスライドパレットを用いた搬送手段の側面図である。
【図８】スライドパレットを用いた搬送手段の平面図である。
【図９】（ａ）は培地収納ポットの平面図、（ｂ）は培地収納ポットの側面図、（ｃ）は培地収納傾斜ポットの断面図、（ｄ）は培地収納ポットの使用状態を示す図、（ｅ）は培地収納傾斜ポットの側面図、である。
【図１０】従来の植物栽培装置の概略図である。
【発明を実施するための形態】
【００１０】
本発明の実施例である植物栽培装置について図を参照しながら詳細に説明する。植物栽培装置は、野菜や果実など食用となる植物を主な栽培の対象とするが、これらには限定されずその他の植物全般（例えば観賞用の花）、さらには学術的には植物でないが一般には野菜の一種として取り扱われる茸等も対象とする。
【実施例１】
【００１１】
図１は本発明の一実施例である植物栽培装置１の概略図である。植物栽培装置１は、底部だけを図示しているフレーム４０の上に水平に設置されたベルトコンベア３０（第一の搬送手段）と、その上方に設置された天井板２２と、その上方に設置されたベルトコンベア３１（第二の搬送手段の一例）と、その上方に設置された天井板２３とを備えている。天井板２２、２３、ベルトコンベア３１は、フレーム４０の図示しない部分によって支持されている。
【００１２】
ベルトコンベア３０は、ポット３を介してベルト３０ａの上に置かれた複数の植物２を図の矢印Ａの方向（左から右）に搬送する。植物２はそれぞれ、栽培の段階が異なっており、図の左側が栽培の初期の段階で、右側に行くにつれて順次収穫段階に近いものとなっていく。個々の植物２に着目すると、まずベルトコンベア３０の左端付近に置かれ、図の左から右へ搬送されながら成長し、ベルトコンベア３０の右端付近に達したところで収穫される。植物２が左端から右端まで搬送される時間は種類により異なるが、４、５週間程度のものが多い。
【００１３】
天井板２２は、ベルトコンベア３０との距離が、植物２の移動の起点となる側（図１では左側、以下「上流側」という）から植物２の移動の終点となる側（図１では右側、以下「下流側」という）に向かうにつれて漸次的に離れるように、水平面に対して右上がりに図の傾斜角αだけ傾けて配置されている。
【００１４】
天井板２２の下面には、複数個の照明器具２０からなる第一の照明手段が設けられている。第一の搬送手段と第一の照明手段の組を「第一のコンベアユニット」と呼ぶことにする。この例では、一つの照明器具２０は、赤色ＬＥＤ２０ａと青色ＬＥＤ２０ｂから構成され、照明器具２０が照射する光の波長成分が植物２を成長させるのに適したものとなるように調整されている。
【００１５】
複数の照明器具２０は天井板２２の下面に沿って配置されているので、第一の照明手段は上流側から下流側に向かうにつれて、ベルトコンベア３０との距離が漸次的に離れている。傾斜角αが小さすぎると栽培の初期段階の植物の上部に無駄な空間が多くなり、傾斜角αが大すぎると栽培の終期段階の植物の上部に無駄な空間が多くなる。したがって、第一の照明手段と植物２との間隔（図１のｄ）がなるべく一定となるよう、水平方向の単位長さあたりの鉛直方向の距離の変化量が、単位長さを植物２が搬送される間に成長する高さとほぼ一致するように角度αを定めるのが好ましい。例えば、植物２がベルトコンベア３０上を１００ｃｍ進む間に５ｃｍ上に伸びるとした場合、傾斜角αを
約３deg（tan-10.05）とする。
【００１６】
ベルトコンベア３０と同様に植物２を搬送するベルトコンベア３１（第二の搬送手段の一例）は、天井板２２の上に天井板２２と平行に設置されている。ベルトコンベア３１の搬送方向は、図の矢印Ｂに示すようにベルトコンベア３０とは反対向きで、図の右側が上流、左側が下流となっている。
【００１７】
天井板２３は、ベルトコンベア３１の上方に水平に設置されている。天井板２３の下面には、天井板２２と同様に、複数の照明器具２１からなる第二の照明手段が複数設けられている。照明器具２１は、それぞれ赤色ＬＥＤ２１ａと青色ＬＥＤ２１ｂから構成されている。第二の照明手段２１もベルトコンベア３１の上流側から下流側に向かうにつれてベルトコンベア３１との距離が漸次的に離れている。好ましい離れ方は、上記の第一の照明手段の場合と同様である。また、天井板２３は水平に設置されているから、第二の照明手段は一つの水平面内に配置されている。第二の搬送手段と第二の照明手段の組を「第二のコンベアユニット」と呼ぶことにする。また、第一のコンベアユニットとその上に配置された第二のコンベアユニットの組を「コンベアセット」と呼ぶことにする。
【００１８】
図２（ａ）はポット３の平面図、（ｂ）はポット３の側面図、（ｃ）はポット３のＡ−Ａ線の断面図、（ｄ）はポット３の使用状態を示す図である。ポット３は、上端３ｃと下端３ｄが開口した円筒状の筒部３ａを備え、その内部の空間３ｅにスポンジやポリマー吸収体等からなり植物２をポット３に固定する保持材１０を収納する。下端３ｄの内側には保持材１０が下に抜け落ちないように保持するフリンジ３ｂが設けられている。保持材１０には植物２が根を伸ばせるほどの適度な隙間が設けてある。植物２は下端２ｂ（葉・茎と根との境目）が保持材１０の上端付近に位置するように植えられ、根２ａは保持材１０の中を下方に伸び、さらにポット３の下端の開口部とベルト３０ａに設けられた貫通穴３０ｂを通過してベルト３０ａの下の空間に垂れ下がる。後述するように、搬送手段をベルトコンベアで構成する場合には空中の根２ａに養液を噴霧することにより植物２に必要な養分を与えるが、保持材１０にも養液を吸収させるようにしてもよい。
【００１９】
図３に、植物栽培装置１の別の使用例を示す。この例では、植物栽培装置１の構造は図１に示したものと同一であるが、植物２が曲がって成長することを防止するためにベルトコンベア３１に置く植物２については図２（ｅ）に示す傾斜ポット４を用いている。傾斜ポット４の構造は、ポット２と基本的に同じであるが、ベルトコンベア３１のベルト３１ａと当接する下面４ｄは、ベルトコンベア３１の傾斜角αと等しい角度だけ傾斜している。そのため、傾斜ポット４をベルト３１ａの上に置くと、上面４ｃは水平となる。
【００２０】
図１のポット３のように傾斜のない（上端面と下端面が平行な）ポットを用いた場合、植物２は鉛直線に対して角度αだけ傾斜して置かれることになる。図１では、植物２が傾斜した状態のままベルトコンベア３１と直角な方向に伸びるように図示しているが、実際には鉛直方向に伸びようとするため、植物２は曲がって成長してしまうことになる。これに対して、図３のように傾斜ポット４を用いれば、植物２は曲がることなくまっすぐ成長するため、収穫した植物２の市場価値を高めることができる。
【００２１】
また、図１ではベルトコンベア３０、３１上に植物２を水平方向（図３の左右方向）に等間隔に置いているが、図３では、植物２が成長するに従って、つまり下流側にいくに従って間隔が大きくなるようにしている。すなわち、図３でＬ１＜Ｌ２＜Ｌ３となるようにしている。これは、植物２は鉛直方向だけでなく水平方向にも大きくなるので、植物２同士の干渉を避けるためである。また、栽培の初期段階で無駄に大きな間隔を取ることがなくなるので、ベルトコンベア３０、３１の長さを短くすることができる。
【００２２】
図１では、植物栽培装置１の構成例として、一つのコンベアセットにより構成される最も単純な例を示したが、複数のコンベアセットを任意の方向に並べて構成することもできる。
【００２３】
第一の搬送手段、第二の搬送手段としては、図１に示したベルトコンベアのほか、ローラーコンベア、スライドレール等を用いることもできる。植物２の根２ａに養液を与える方法は、搬送手段の構造に応じて選択するが、この点については後述する。
【００２４】
第一の照明手段、第二の照明手段としては、図１に示した複数個の照明器具のほか、搬送手段の搬送方向に伸びる１本の蛍光ランプ等を用いることもできる。
【００２５】
植物栽培装置１では、第一の搬送手段と第一の照明手段との距離および第二の搬送手段と第二の照明手段との距離は、上流側から下流側に向かうにつれて漸次的に離れている。そのため、植物２の上部と照明手段との間の無駄な空間が少なくなり装置を小型化することができる。また、植物２の栽培の初期段階においても照明手段との距離が小さくなるため成長が促進される。
【００２６】
第二の照明手段２１は一つの水平面内に設置されている。そのため、コンベアセットを鉛直方向に積み重ねて多段化する場合に、コンベアセット間に無駄な空間が生じることがなく、装置全体を小型化することができる。
【実施例２】
【００２７】
次に、搬送手段の図１に示したものとは異なる構成例について説明する。図４はベルトコンベアを用いた搬送手段５１の側面図、図５は搬送手段５１の平面図である。図４は水平に設置した状態を示しているが、傾斜させて設置することもできるため、第二の搬送手段としても用いることができる。
【００２８】
搬送手段５１は、植物２を搬送する方向に沿って直列に配置された３台のベルトコンベア３２、３３、３４により構成されている。植物２は、ベルトコンベア３２の左端付近に置かれ、ベルトコンベア３２、 ベルトコンベア３３、 ベルトコンベア３４により順次図の右方向に搬送され、ベルトコンベア３４の右端付近に達した時に収穫される。植物２のベルトコンベア３２からベルトコンベア３３への移動およびベルトコンベア３３からベルトコンベア３４への移動は手作業により行う。
【００２９】
各ベルトコンベアの搬送速度の関係は、図の矢印Ｃ、Ｄ、Ｅで模式的に示したように、下流側ほど大きくなっている。これは、栽培が進むに従ってポット同士の間隔を広げるためであることと、渋滞を起こさないようにするためである。図１のように搬送手段を１台のベルトコンベアで構成した場合、収穫段階にまで育った植物の大きさを想定して植物同士が干渉しないように間隔をあけてポットを配置しなければならないため、栽培初期においてはポット同士の間隔が無駄に大きくなってしまう。また栽培初期にポット同士の間隔を詰めてしまうと、その後植物が成長してポット同士の間隔を広げなければならなくなったとき、いわゆる渋滞が起きることが容易に想定できる。この問題を解決するため、搬送手段５１では、栽培が進むにつれて下流側のベルトコンベアの搬送速度を速くなるようにして、植物２が水平方向に干渉せず、なおかつ栽培の全体の流れが渋滞しないように調整する。
【００３０】
各ベルトコンベア３２、３３、３４のベルト３２ａ、３３ａ、３４ａには、それぞれ、その幅方向の中央付近にポット５をはめ込むためのポット嵌合穴３２ｂ、３３ｂ、３４ｂが設けられている。ポット嵌合穴の搬送方向の間隔は一つのベルトコンベア内では一定であるが、下流側のベルトコンベアほど大きくなっている。つまり、図５で
ｐ１＜ｐ２＜ｐ３となっている。これは、前述のように植物２が水平方向に干渉しないようにするためである。
【００３１】
図６（ａ）はポット５の平面図、（ｂ）はポット５の側面図、（ｃ）はポット５のＢ−Ｂ線の断面図、（ｄ）はポット５の使用状態を示す図である。ポット５は、上端５ｃが開口した円筒状の筒部５ａと下端５ｄの中央に設けられ嵌合穴３２ｂ、３３ｂ、３４ｂに嵌合する突起部５ｂを備えている。突起部５ｂの下端５ｆは植物２の根２ａが通過できるように開口している。図２のポット３と同様、その内部の空間５ｅに保持材１０が収納され、植物２はその下端２ｂが保持材１０に包まれ、筒部５ａの上端５ｃ付近に位置するように置かれる。根２ａは下方に伸び、突起部５ｂの下端５ｆの開口部と嵌合穴３２ｂ、３３ｂ、３４ｂを通過してベルト３２ａ、３３ａ、３４ａの下の空間に垂れ下がる。このように突起部５ｂを嵌合穴３２ｂ、３３ｂ、３４ｂに嵌合することにより、ポット５をしっかりと固定できるから、筒部５ａの高さは比較的小さくでき、植物２の下部の光の当たらない部分を少なくすることができる。
【００３２】
搬送手段５１が傾斜して配置されるときは、図６（ｅ）に示す傾斜ポット６を用いる。傾斜ポット６は基本的な形状はポット５と同じであるが、ベルトコンベア３２、３３、３４に当接する面である下端６ｄを搬送手段の傾斜角αと等しい角度だけ傾斜させる。このようにすれば、ベルトコンベア３２、３３、３４に置かれた状態では上端６ｃが水平となり、植物２をまっすぐに成長させることができる。
【００３３】
搬送手段５１には、養液を貯留するタンクや養液を送出するポンプを備えた養液供給装置４１が併設されている。養液供給装置４１には、搬送手段５１の搬送方向に沿って配置された水平パイプ４２が接続されている。水平パイプ４２には各ベルトコンベアの鉛直方向の中央付近まで立ち上がり、上端にノズル４４が設けられた鉛直パイプ４３が複数接続されている。養液供給装置４１により送出された養液は、ノズル４４から噴出し、ベルトの間の空間に垂れ下がっている植物２の根２ａに付着する。ノズル４４はすべての植物２に養液が噴射されるように十分密な間隔で配置する。あるいは、養液供給装置４１にノズルを取り付けて、養液供給装置４１を搬送手段５１の搬送方向に沿って移動させながら養液を噴射するようにしてもよい。
【００３４】
このような方法で、養液を植物２に与えれば、養液を貯留するタンクを植物２の直下に配置する必要がないため、搬送手段５１を傾斜させて設置しても、装置が大型化することがない。
【実施例３】
【００３５】
次に、運搬手段の別な例として、パレットとレールにより構成した搬送手段５２について説明する。図７（ａ）と図７（ｂ）は搬送手段５２の側面図、図８は搬送手段５２の平面図である。
【００３６】
搬送手段５２は、フレーム等により支持された２本のレール６４と、レール６４の上の第一の区間７１に置かれた複数のパレット６１、第二の区間７２に置かれた複数のパレット６２、第三の区間７３に置かれた複数のパレット６３から構成される。パレット６１、６２、６３の上面にはポット５、７を介して植物２が置かれ、図の矢印Ｆに示す方向に移動する。なお、植物２はすべてのパレット６１、６２、６３上に置いても良いし、図のように空のパレットを設けて生産量を調整することもできる。
【００３７】
パレット６１、６２、６３は合成樹脂や金属で構成された箱状の部材で、その上面にはポット５、７をはめ込むポット嵌合穴６１ａ、６２ａ、６３ａがそれぞれ設けられている。パレット６１、６２、６３の構造は基本的に同一であるが幅（搬送方向の長さ）だけが異なっている。そして、その幅は下流側の区間ほど大きくなっている。つまり、図７（ａ）でｂ１＜ｂ２＜ｂ３となっている。
【００３８】
植物２の搬送は、各パレットをパレットの幅と等しい距離だけ矢印Ｆの方向に動かすことにより行う。パレットの移動を行う頻度は例えば３日に１回とする。図７（ａ）の矢印Ｈのように各区間の最下流（右端）のパレットは、その区間の最上流（左端）に戻し、そのパレットに置かれていた植物２は、矢印Ｇのように下流の区間の最上流のパレットにポット５、７ごと移動させる（最下流の区間の最下流のパレットに置かれていた植物は収穫する）。なお、最下流のパレットを最上流に戻す際に養液の交換をすれば効率がよい。パレットをこのように移動することにより、植物２は、下流の区間ほど間隔を広く開けて搬送される。つまり、植物２の成長に伴う隣同士の干渉防止に関しては搬送手段５１と同等の機能となる。また単位距離を移動する際の植物２の成長量がほぼ一定になるようにパレット６１、６２、６３の幅を調整すれば、植物２と照明手段との間の無駄な空間を少なくすることができる。
【００３９】
パレット６１、６２、６３の移動は基本的に人力により行うが、搬送手段５２を傾斜させて設置する場合は、重力を利用してパレット６１、６２、６３を滑らせて移動するようにしてもよい。
【００４０】
植物２への養液の供給方法としては、例えば、図７（ａ）のようにパレット６１、６２、６３の内部に養液を入れておく方法と、図７（ｂ）のように内部に培地１１を収容するポット７を用いる方法がある。図７（ａ）の場合に用いるポット５（傾斜している場合はポット６）は、図６に示したものと同様である。 図７（ｂ）の場合に用いる培地収容ポット７の平面図を図９（ａ）に、側面図を図９（ｂ）に、Ｃ−Ｃ線の断面図を図９（ｃ）に、使用状態を示す図を図９（ｄ）に、それぞれ示す。ポット７は、上端７ｃが開口した円筒状の筒部７ａと、筒部７ａの下端に接続し筒部７ａよりやや径が小さく内部に養液をしみこませた培地１１を収容する培地収容部７ｂとを備えている。培地収容部７ｂの下端７ｆは閉じられている。植物２はその下端２ｂが筒部７ａと培地収容部７ｂの境界付近に位置するように置かれ、根２ａは培地１１の中を下方に伸びる。ポット７は、パレット６１、６２、６３の嵌合穴６１ａ、６２ａ、６３ａにポット収容部７ｂをはめ込んでセットされる。段差部７ｄがパレット６１、６２、６３の上面に当接して止まるため、下端７ｆがパレットの底に当接する必要はない。
【００４１】
搬送手段５２が傾斜して設置されるときは、図９（ｅ）に示す傾斜ポット８を用いる。傾斜ポット８は基本的な形状はポット７と同じであるが、パレット６１、６２、６３に当接する面である段差部８ｄを傾斜角αと等しい角度だけ傾斜させる。このようにすれば、パレット６１、６２、６３に置かれた状態では上端８ｃが水平となり、植物２をまっすぐに成長させることができる。
【００４２】
ポット嵌合穴６１ａ、６２ａ、６３ａから養液が溢れない範囲であれば傾斜させることができるので、図7（a）の搬送手段５２を傾斜させて配置しても問題はない。
【符号の説明】
【００４３】
１  植物栽培装置
２  植物
２ａ  根
３、５、７  ポット
４、６、８  傾斜ポット
１０  保持材
１１  培地
１２  養液
２０、２１  照明器具
２０ａ、２１ａ  赤色ＬＥＤ
２０ｂ、２１ｂ  青色ＬＥＤ
２２、２３  天井板
３０、３１、３２、３３、３４  ベルトコンベア
３２ａ、３３ａ、３４ａ  ベルト
３２ｂ、３３ｂ、３４ｂ  ポット嵌合穴
４０  フレーム
４１  養液供給装置
４２  水平パイプ
４３  鉛直パイプ
４４  ノズル
５１、５２  搬送手段
６１、６２、６３  パレット
６４  レール
６１ａ、６２ａ、６３ａ  ポット嵌合穴
１００  植物栽培装置
１０１  天井板
１０２  照明手段
１０３  搬送手段
１０４  フレーム
１０５  植物
【図１】
2015012826.tif 000003
【図２】
2015012826.tif 000004
【図３】
2015012826.tif 000005
【図４】
2015012826.tif 000006
【図５】
2015012826.tif 000007
【図６】
2015012826.tif 000008
【図７】
2015012826.tif 000009
【図８】
2015012826.tif 000010
【図９】
2015012826.tif 000011
【図１０】
2015012826.tif 000012